(57)【特許請求の範囲】
【請求項１】
プリンタと接続され、該プリンタによって印刷される印刷画像を表示する画像表示装置において、
撮影画像データがサムネイル表示される表示手段と、
ユーザによって選択された上記撮影画像データに編集を施した編集画像データ及び該編集画像データの追加サムネイルを生成する制御手段と、
上記表示手段に表示され、編集を施す撮影画像、該撮影画像に対する編集操作及び印刷画像を選択する選択手段とを備え、
上記制御手段は、ユーザによる上記選択手段の操作に応じて上記撮影画像の編集が行われると、上記表示手段に上記撮影画像データのサムネイルに追加して上記編集画像データの上記追加サムネイルを表示し、ユーザによる上記選択手段の操作に応じて上記編集画像データに対してさらに編集を追加変更した場合は、上記編集画像データに当該追加変更された編集内容を反映させた追加編集画像データを生成し、該追加編集画像データの追加サムネイルを上記編集画像データの上記追加サムネイルにおきかえて上記表示手段に表示し、それぞれ印刷画像として選択可能とすることを特徴とする画像表示装置。
【請求項２】
上記制御手段は、上記印刷画像について、印刷枚数の設定のみ、又は自動色補正処理の設定のみ、若しくは印刷枚数の設定及び自動色補正処理の設定のみを行った場合には、上記編集画像データ及び上記追加サムネイルを生成せず、上記表示手段に追加して表示しないことを特徴とする請求項１記載の画像表示装置。
【請求項３】
上記制御手段は、上記追加サムネイルを、上記撮影画像データのサムネイルに隣接して表示することを特徴とする請求項１又は請求項２に記載の画像表示装置。
【請求項４】
上記制御手段は、上記撮影画像データに対して複数回編集を施した場合には、新しく追加された上記追加サムネイルから順に、上記撮影画像のサムネイルに隣接して表示していくことを特徴とする請求項３記載の画像表示装置。
【請求項５】
上記制御手段は、上記撮影画像データのサムネイルにおいて設定されていた印刷枚数を、編集画像データのサムネイルに設定するとともに、上記撮影画像データのサムネイルにおいて設定されていた印刷枚数を０にすることを特徴とする請求項１〜請求項４のいずれか１項に記載の画像表示装置。
【請求項６】
上記制御手段は、上記撮影画像データに対する編集が印刷サイズの変更のみである場合は、該撮影画像データのサムネイルにおいて設定されていた印刷枚数を維持し、上記追加サムネイルの印刷枚数を１に設定することを特徴とする請求項１〜請求項５のいずれか１項に記載の画像表示装置。
【請求項７】
プリンタに接続され、該プリンタによって印刷する印刷画像を表示する画像表示方法において、
表示手段に撮影画像データのサムネイルを表示する工程と、
ユーザによる選択手段の操作に応じて編集を施す上記撮影画像データのサムネイル及び編集操作が選択されると、制御手段によって上記選択された撮影画像データに対して選択された編集操作が施された編集画像データを生成する工程と、
上記制御手段によって、上記撮影画像データのサムネイルに追加して上記編集画像データのサムネイルを上記表示手段に表示し、それぞれ印刷画像として選択可能とする工程と、
ユーザによる上記選択手段の操作に応じて上記編集画像データに対してさらに編集を追加変更する編集操作が選択されると、上記制御手段によって上記編集画像データに当該追加変更された編集内容を反映させた追加編集画像データを生成し、該追加編集画像データの追加サムネイルを上記編集画像データの上記追加サムネイルにおきかえて上記表示手段に表示し、それぞれ印刷画像として選択可能とする工程とを有する画像表示方法。
【請求項８】
プリンタと接続され、該プリンタによって印刷される印刷画像を表示する画像表示装置の制御手段に、
表示手段に撮影画像データのサムネイルを表示する工程と、
ユーザによる選択手段の操作に応じて編集を施す上記撮影画像データのサムネイル及び編集操作が選択されると、制御手段によって上記選択された撮影画像データに対して選択された編集操作が施された編集画像データを生成する工程と、
上記制御手段によって、上記撮影画像データのサムネイルに追加して上記編集画像データのサムネイルを上記表示手段に表示し、それぞれ印刷画像として選択可能とする工程と、
ユーザによる上記選択手段の操作に応じて上記編集画像データに対してさらに編集を追加変更する編集操作が選択されると、上記制御手段によって上記編集画像データに当該追加変更された編集内容を反映させた追加編集画像データを生成し、該追加編集画像データの追加サムネイルを上記編集画像データの上記追加サムネイルにおきかえて上記表示手段に表示し、それぞれ印刷画像として選択可能とする工程とを実行させる画像表示プログラム。
【発明の詳細な説明】
【技術分野】
【０００１】
本発明は、印刷画像を表示する画像表示装置に関し、特に、外部記録媒体から読み込んだ画像を編集し、プリンタ装置によって編集後の画像を印刷することができる画像表示装置に関する。
【背景技術】
【０００２】
従来より、大型家電量販店や駅、ホテル等の公共の場に、デジタルスチルカメラやカメラ付き携帯電話等の撮像装置で撮影した撮影画像を印刷するプリントキオスク端末が設置され、広く用いられている。この種のプリントキオスク端末は、ユーザが持参した画像データが記録されたメモリカードが挿入され、当該メモリカードから画像データを読み出して、この画像データのサムネイルをモニタに一覧表示する。ユーザは、モニタに一覧表示されたサムネイル画像の中から印刷したい撮影画像を指定し、印刷を実行していく。
【０００３】
また、この種のプリントキオスク端末は、モニタに一覧表示されたサムネイル画像の印刷サイズの指定や、印刷枚数の設定を行うことができ、選択された撮影画像に対して、指定のサイズ、枚数で印刷することができる。また、プリントキオスク端末では、撮影画像に対して、日付テキスト追加、白黒やセピア変換、画像の回転やトリミング、画像の周囲を装飾するフレームの合成等の各種編集を行い、これら編集結果に応じた画像を印刷することもできる。
【０００４】
かかる従来のプリントキオスク端末は、モニタに一覧表示された撮影画像を選択し、画像毎に印刷サイズ及び枚数を決定すると、オーダー確認画面に進んでオーダーを確定して印刷工程に進む。これにより、ユーザは、一度のオーダー操作で、画像毎に印刷サイズ及び枚数を設定することができる。
【０００５】
また、このプリントキオスク端末は、モニタに一覧表示された撮影画像を選択し、選択された撮影画像に対して各種編集を行い、編集が終了すると印刷オーダー確認画面に進みオーダーを確定して印刷工程に進む。さらに、最近のプリントキオスク端末には、編集画像に対して、複数の印刷サイズ及び枚数を設定することができるものもある。これによりユーザは、一度のオーダー操作で、一の編集画像を複数の印刷サイズ及び枚数で印刷することができる。
【０００６】
しかし、従来のプリントキオスク端末では、撮影画像に編集を施すと、当該編集画像を複数サイズで印刷することはできるが、異なる編集画像を一回のオーダー操作で印刷する、またサイズ毎に異なる編集画像を一回のオーダー操作で印刷する、若しくは編集が施されていない撮影画像と編集が施された編集画像を一回のオーダー操作で印刷することはできず、一の編集画像に対する印刷を終えた後、他の編集画像に対するオーダーや、撮影画像に対するオーダーを、改めて最初からやり直す必要があった。
【０００７】
【特許文献１】特開２００３−１１８２１０号公報
【発明の開示】
【発明が解決しようとする課題】
【０００８】
そこで、本発明は、一回のオーダー操作で、撮影画像及びこの撮影画像に印刷サイズの追加、フレームや文字等の追加といった編集を施した編集画像を同時に印刷でき、ユーザの操作を簡略化する画像表示装置、画像表示方法及び画像表示プログラムを提供することを目的とする。
【課題を解決するための手段】
【０００９】
上述した課題を解決するために、本発明に係る画像表示装置は、プリンタと接続され、該プリンタによって印刷される印刷画像を表示する画像表示装置において、撮影画像データがサムネイル表示される表示手段と、ユーザによって選択された上記撮影画像データに編集を施した編集画像データ及び該編集画像データの追加サムネイルを生成する制御手段と、上記表示手段に表示され、編集を施す撮影画像、該撮影画像に対する編集操作及び印刷画像を選択する選択手段とを備え、上記制御手段は、ユーザによる選択手段の操作に応じて上記撮影画像の編集が行われると、上記表示手段に上記撮影画像データのサムネイルに追加して上記編集画像データの上記追加サムネイルを表示し、ユーザによる上記選択手段の操作に応じて上記編集画像データに対してさらに編集を追加変更した場合は、上記編集画像データに当該追加変更された編集内容を反映させた追加編集画像データを生成し、該追加編集画像データの追加サムネイルを上記編集画像データの上記追加サムネイルにおきかえて上記表示手段に表示し、それぞれ印刷画像として選択可能とすることを特徴とするものである。
【００１０】
また、本発明に係る画像表示方法は、プリンタに接続され、該プリンタによって印刷する印刷画像を表示する画像表示方法において、表示手段に撮影画像データのサムネイルを表示する工程と、ユーザによる選択手段の操作に応じて編集を施す上記撮影画像データのサムネイル及び編集操作が選択されると、制御手段によって上記選択された撮影画像データに対して選択された編集操作が施された編集画像データを生成する工程と、上記制御手段によって、上記撮影画像データのサムネイルに追加して上記編集画像データのサムネイルを上記表示手段に表示し、それぞれ印刷画像として選択可能とする工程と、ユーザによる上記選択手段の操作に応じて上記編集画像データに対してさらに編集を追加変更する編集操作が選択されると、上記制御手段によって上記編集画像データに当該追加変更された編集内容を反映させた追加編集画像データを生成し、該追加編集画像データの追加サムネイルを上記編集画像データの上記追加サムネイルにおきかえて上記表示手段に表示し、それぞれ印刷画像として選択可能とする工程とを有するものである。
【００１１】
また、本発明に係る画像表示プログラムは、プリンタと接続され、該プリンタによって印刷される印刷画像を表示する画像表示装置の制御手段に、表示手段に撮影画像データのサムネイルを表示する工程と、ユーザによる選択手段の操作に応じて編集を施す上記撮影画像データのサムネイル及び編集操作が選択されると、制御手段によって上記選択された撮影画像データに対して選択された編集操作が施された編集画像データを生成する工程と、上記制御手段によって、上記撮影画像データのサムネイルに追加して上記編集画像データのサムネイルを上記表示手段に表示し、それぞれ印刷画像として選択可能とする工程と、ユーザによる上記選択手段の操作に応じて上記編集画像データに対してさらに編集を追加変更する編集操作が選択されると、上記制御手段によって上記編集画像データに当該追加変更された編集内容を反映させた追加編集画像データを生成し、該追加編集画像データの追加サムネイルを上記編集画像データの上記追加サムネイルにおきかえて上記表示手段に表示し、それぞれ印刷画像として選択可能とする工程とを実行させるものである。
【発明の効果】
【００１２】
本発明によれば、撮影画像データに対して各種編集が施された編集画像データの追加サムネイルや、編集画像データに対してさらに編集を追加変更した追加編集画像データの追加サムネイルを、撮影画像データのサムネイルと共に表示することにより、それぞれ印刷画像として選択可能とされているため、一回のオーダー操作で、撮影画像データのサムネイル、編集画像データの追加サムネイル及び追加編集画像データの追加サムネイルのいずれも、それぞれ印刷サイズや印刷枚数を設定し、印刷することができる。
【発明を実施するための最良の形態】
【００１３】
以下、本発明に係る画像表示装置について、図面を参照しながら詳細に説明する。この画像表示装置は、例えば駅やホテルなどの公共の場に設置され、ユーザが持参したメモリカード等のリムーバル記憶媒体に記憶されている画像データを印刷するサービスを提供するプリントキオスク端末に適用されるプリントシステムに用いられるものである。このプリントシステムは、写真が印刷されることに鑑み、プリンタ装置に、色再現性に優れる昇華型熱転写方式のプリンタが用いられている。
【００１４】
図１に示すように、本発明が適用されたプリントシステム１は、メモリカード等のリムーバル記録媒体より画像データが入力され、印刷する画像データを表示し選択、編集させるための画像表示装置１０と、画像表示装置１０で選択された画像を印刷するプリンタ装置３０とを備えている。そして、例えば、画像表示装置１０とプリンタ装置３０とは、有線又は無線で接続されており、隣り合うように設置され、あるいは一つの筐体内に組み込まれている。
【００１５】
図２に示すように、プリントシステム１を構成する画像表示装置１０は、ユーザが持参したリムーバル記録媒体を読み出すための各種ドライブを備えている。具体的に、フラッシュメモリ等の半導体メモリを記憶素子に用いＵＳＢ（Universal Serial Bus）インタフェースで記憶素子に記憶された画像データを読み出すＵＳＢフラッシュメモリリーダ１１と、ＣＤ（Compact Disc）、ＤＶＤ（Digital Versatile Disk）等の光ディスクより画像データを読み出す光ディスクドライブ１２と、フラッシュメモリ等の半導体メモリを記憶素子に用いるメモリカードより記憶素子に格納された画像データを読み出すメモリカードリーダ１３と、ユーザが持参した写真を光学的に読み取るスキャナ１４とを備えている。
【００１６】
また、この画像表示装置１０は、ＵＳＢフラッシュメモリリーダ１１、光ディスクドライブ１２、メモリカードリーダ１３、スキャナ１４から入力された画像データを表示すると共にユーザによって操作されるタッチパネル１５と、タッチパネル１５に表示する画像データを一時的に格納する画像メモリ１６と、印刷枚数や画像印刷時画像データの周囲に設けられるフレーム等のテンプレートの使用回数等のログデータを格納する記憶部１７と、全体の動作を制御する制御プログラムや画像データを装飾するフレーム等のテンプレート、画像データに追加する文字及び記号テーブル、及び色テーブルが格納されたＲＯＭ１８と、制御プログラムや選択されたフレーム等のテンプレート等が一時的にロードされるＲＡＭ１９と、所定の時間を計時するタイマ２０と、制御プログラムやユーザによって入力された操作信号に基づいて全体の動作を制御する制御部２１とを備えている。
【００１７】
また、画像表示装置１０は、プリンタ装置３０と印刷する画像データを出力するプリンタＩ／Ｆ２２と、インターネット等のネットワークを介して外部の管理装置４０等と通信を行う通信Ｉ／Ｆ２３とを備えている。
【００１８】
タッチパネル１５は、画像データ等を表示する表示部１５ａと、ユーザによって操作されることによって操作信号を発生する入力部１５ｂとを備えている。このタッチパネル１５は、指や専用のペンで画面に触れることで、指や専用のペンが触れた位置を検知して画面上の位置を指定し、制御部２１に操作信号を入力する。具体的には、圧力の変化を感知したり、静電気による電気信号を感知して画面上の位置を特定し、操作信号を発生する。
【００１９】
例えば、タッチパネル１５には、ＵＳＢフラッシュメモリ、光ディスク、メモリカード等に格納された複数の画像データをサムネイル表示し、表示されたサムネイル画像の一又は複数を選択できるようになっている。またタッチパネル１５には、選択されたサムネイル画像に係る画像データに合成する複数のフレームや選択されたフレームに追加する文字及び文字色を選択できるようになっている。
【００２０】
画像メモリ１６は、タッチパネル１５に表示する画像データを格納するメモリであって、例えば、選択された画像データの加工処理、例えばズーム処理、ズームする領域を移動する処理、画像データの回転処理、文字等のテキストデータの追加処理、フレームとの合成処理等を行ったとき、加工後の画像データを格納し、タッチパネル１５に出力する。
【００２１】
記憶部１７は、ハードディスク等で構成されており、印刷のログデータ等を記録する。例えば、記憶部１７には、ログデータとして、画像データと合成されるフレームの選択数や印刷枚数等が格納される。このログデータは、管理装置４０に送信されることによって、管理者がフレーム等のテンプレートの人気度合い等の参考に利用することができる他、ユーザがフレーム等のテンプレートを選択する際、人気のあるテンプレートを優先的に、テンプレートの選択画面に表示する処理を行うことに用いることができる。また、ログデータは、ＵＳＢフラッシュメモリリーダ１１、光ディスクドライブ１２、メモリカードリーダ１３等に装着されたリムーバル記録媒体に格納することもできる。また、記憶部１７には、フレーム等のデータが格納される。
【００２２】
ＲＯＭ１８は、ＥＰ−ＲＯＭ（Erasable Programmable Read-Only Memory）等でなり、読み込んだ画像データをサムネイル表示するためのブラウザ、画像データを加工するための加工プログラム等を格納している。そして、このような各種プログラムは、操作信号に応じてＲＡＭ１９に読み込まれる。
【００２３】
タイマ２０は、時刻や所定時間を計時する。例えば、タイマ２０によって、上述のログデータは、印刷時刻等に関連付けて記憶部１７に格納されることになる。また、所定期間内の印刷枚数や選択回数をカウントするとき、１箇月間等の所定期間をカウントする。
【００２４】
制御部２１は、ＣＰＵ等で構成されており、操作信号等に応じてプログラムに従った所定の演算処理を行う。
【００２５】
例えば、制御部２１は、タッチパネル１５で所定の単位画像が選択されると、選択された画像データを選択状態にし、表示状態を変える処理を行い、また、選択された画像データに対して加工処理の操作がされたとき、操作信号に応じて、選択された画像データに対して、ズーム処理、ズームする領域を移動する処理、画像データの回転処理、文字等のテキストデータの追加処理、フレームとの合成処理等を行う。
【００２６】
プリンタＩ／Ｆ２２は、プリンタ装置３０と有線又は無線で接続され、印刷する画像データをプリンタ装置３０に対して出力する。また、通信Ｉ／Ｆ２３は、インターネット等のネットワークを介して例えば管理装置４０と接続されている。例えば、通信Ｉ／Ｆ２３は、記憶部１７に格納されたログデータ等を管理装置４０に、ＴＣＰ／ＩＰ等所定のプロトコルに従って送信する。
【００２７】
プリンタＩ／Ｆ２２を介して画像表示装置１０と接続されるプリンタ装置３０は、図２に示すように、普通紙等に対してインクリボンの染料を昇華してカラー画像を形成するサーマルヘッド３１と、印刷する印刷データを画像表示装置１０のプリンタＩ／Ｆ２２より入力された画像データより生成する印刷データ生成部３２と、サーマルヘッド３１を駆動制御するヘッド制御部３３と、インクリボンを走行させるインクリボン走行部３４と、記録紙を搬送する記録紙搬送部３５とを備えている。
【００２８】
サーマルヘッド３１は、ロール紙等の幅方向に直線的に複数個の発熱素子が配列されており、印画データに応じた駆動電流が発熱素子に供給されることによって、複数の発熱素子を選択的に発熱させる。このサーマルヘッド３１は、プラテンと対峙しており、記録紙に対してインクリボンを圧接し、インクリボンの側から熱エネルギを印加することによって、染料等を昇華し、記録紙に染料を転写させる。
【００２９】
印刷データ生成部３２は、画像データを印刷データに変換する。具体的に、印刷データ生成部３２は、画像データをインク色であるＹＭＣ色空間に変換する色変換処理を施し、ロール紙の発色特性に合わせたガンマ変換処理等の所定の処理を行う。そして、ヘッド制御部３４は、印刷データ生成部３２で生成された印刷データに応じてサーマルヘッド３１の駆動信号を生成し、この駆動信号をサーマルヘッド３１に供給することによって、印刷する画像データに応じてサーマルヘッド３１を駆動制御する。なお、印刷データ生成部３２で行う処理は、画像表示装置１０で行い、生成された印刷データをプリンタ装置３０に出力してもよい。
【００３０】
また、インクリボン走行部３４は、リボンカートリッジに、供給リールと巻取リールとに巻回されたインクリボンを走行させる。ここで、インクリボンは、例えばイエロー、シアン、マゼンタ、ラミネートフィルムの順で走行方向に面順次で並んで設けられており、一組のイエロー、シアン、マゼンタ、ラミネートフィルムで一枚の写真を記録紙に形成するようになっている。
【００３１】
記録紙搬送部３５は、搬送ローラや複数の駆動ローラ等を有しており、ロール紙等の記録紙を、給紙部からサーマルヘッド３１を介して排紙部まで搬送する。記録紙には、画像を形成するため、イエロー、シアン、マゼンタ、ラミネートフィルムを順に転写する必要がある。そこで、記録紙搬送部３５は、先ず、記録紙をインクリボンと同期させて走行させることでイエローが記録紙に熱転写されると、次いで、記録紙を逆方向に走行させて頭出しをし、シアンがイエロー上に熱転写されるようにし、更に、記録紙を逆方向に走行させて頭出しをし、マゼンタがシアン上に熱転写されるようにし、これを繰り返して、イエロー、シアン、マゼンタ、ラミネートフィルムの順で記録紙に対して熱転写を行うことができるようにする。
【００３２】
次に、本発明が適用されたプリンタシステム１において、ユーザが持参したリムーバル記録媒体から撮影画像データを読み出し、印刷に供する撮影画像データに編集を施して編集画像データを生成し、この編集画像データのサムネイルをタッチパネル１５に表示する工程について説明する。画像表示装置１０は、操作待機状態においてはタッチパネル１５の表示部１５ａに、待機画面（図示せず）が表示され、この待機画面に表示されているスタートボタンがタッチされると、図３に示すメディア選択画面５０が表示される。
【００３３】
メディア選択画面５０は、画像データや印刷データを読み込むメディアを選択するための画面であり、ＵＳＢフラッシュメモリリーダ１１、光ディスクドライブ１２、メモリカードリーダ１３にそれぞれ装着されたＵＳＢメモリ、光ディスク、各種メモリカードを表すアイコンにタッチすることによりメディアを指定することができる。
【００３４】
画像データを読み込むメディアが指定されると、表示部１５ａには、図４に示すように、印刷メニュー画面５１が表示される。印刷メニュー画面５１は、読み込んだ画像データの印刷方法を選択するものであり、例えばＬサイズ（１２７ｍｍ×８９ｍｍ）、ＫＧサイズ（１５２ｍｍ×１０２ｍｍ）、２Ｌサイズ（１７８ｍｍ×１２７ｍｍ）、Ａ４サイズ（２９７ｍｍ×２１０ｍｍ）などの印刷サイズ選択アイコン５１ａや、「Quick Print All Pictures」「Border」「Collage」「Scrapbook」などの特殊メニューアイコン５１ｂが表示される。
【００３５】
印刷サイズ選択アイコン５１ａは、印刷サイズを決定するためのアイコンであり、制御部２１は、選択されたサイズをデフォルトサイズとして設定し、ユーザが個々の画像データに対するサイズ変更操作を行わない限り、選択された画像データを印刷サイズ選択アイコン５１ａで設定されたデフォルトサイズで印刷する。
【００３６】
特殊メニューアイコン５１ｂのうち、「Quick Print All Pictures」アイコンは、読み込まれた全画像データを印刷するように設定するものである。また「Border」アイコンは、読み込まれた画像データに各種フレーム等のテンプレートを用いて装飾を施すように設定するものである。また「Collage」アイコンは、読み込まれた画像データの一部分又は全部を切り取り他に読み込まれた画像データに貼り付けることによって一枚の印刷画像を構成するように編集を行うものである。また「Scrapbook」アイコンは、読み込まれた画像データの一部分を切り取り他の画像データと共に一枚の印刷画面に貼り付けるなどの各種編集を施して印刷するためのものである。
【００３７】
その他の特殊メニューアイコン５１ｂは、上述した「Border」「Collage」「Scrapbook」などの編集を画像データ毎に施す「Creative Print」、画像データをＣＤ−Ｒ等の光ディスクに記録する「CD Creation」、全画像を一覧表示して印刷する「Index Print」等が表示される。なお、これら印刷サイズ選択アイコン５１ａのサイズや特殊メニューアイコン５１ｂのメニューは適宜追加、変更、削減することができる。
【００３８】
印刷サイズ選択アイコン５１ａのいずれかがタッチされると、画像データ表示装置１０は、制御部２１が、先に指定されたリムーバル記憶媒体に記憶されている撮影画像のデータを、タッチパネル１５の表示部1５ａにサムネイル表示するために読み出し、画像メモリ１６に保存する。そして制御部２１は、図５に示す印刷画像選択画面５２に、所定の順番、例えば撮影日時の新しい順に、画像メモリ１６から読み出した撮影画像データを表示部１５ａにサムネイル表示していく。
【００３９】
なお、制御部２１は、メモリカード内に撮影画像データに関連したＤＰＯＦ（Ｄｉｇｉｔａｌ  Ｐｒｉｎｔ  Ｏｒｄｅｒ  Ｆｏｒｍａｔ）（登録商標）等の印刷データが作成されている場合は、かかる印刷データも読み出し、この印刷データが作成された撮影画像データを優先してサムネイル表示するようにしてもよい。これにより、ユーザは、印刷を行う可能性の高い撮影画像データから閲覧することができ、メモリカード内に保存されている膨大な撮影画像データの中から印刷したい撮影画像データを効率よく探し出すことができる。
【００４０】
以上のようにして、撮影画像データがサムネイル表示されると、次いで、実際に印刷を行う印刷画像を、撮影画像データのサムネイルにタッチすることにより選択し、印刷枚数の設定や、印刷サイズの設定及び画像フレームや文字との合成といった編集作業を行っていく。ここで、図５に示す撮影画像データがサムネイル表示される印刷画像選択画面５２について説明する。この印刷画像選択画面５２は、撮影画像データがサムネイル表示されるサムネイル表示部６１と、印刷メニュー画面５０において選択された印刷サイズを表示する印刷サイズ表示部６２と、指定したサムネイルに係る画像を装飾する印刷画像編集画面９０に移行する編集ボタン６３と、印刷サイズ表示部６２に表示された印刷サイズ以外の印刷サイズを指定するためのサイズ追加ボタン６４と、サイズ毎の印刷枚数を一覧表示するサイズ情報表示部６５と、選択された印刷画像の印刷枚数を統一的に増減する枚数決定ボタン６６と、選択された印刷画像の自動色補正の統一的に実行する自動色補正ボタン６７と、印刷画像選択画面５２が複数ページに亘る場合にページを移行するページ送りボタン６８と、印刷メニュー画面５１に戻る戻りボタン６９と、印刷画像選択画面５２における印刷画像の選択を終了し、オーダー確認画面に移行する選択終了ボタン７０と、選択された印刷画像の写真へ印刷日時を一律に表示させる日付表示ボタン７１と、他のメディアからのデータ読み込みを行うメディア選択ボタン７２と、操作が分からない場合に用いるヘルプボタン７３とが表示される。
【００４１】
サムネイル表示部６１には、メモリカードより読み出した撮影画像データが、撮影日時の新しい順に順次表示されている。サムネイル表示部６１は、撮影画像毎に表示枠６１ａが表示されることによって区分され、例えば図５に示すように、４行４列の計１６の撮影画像が表示されている。各表示枠６１ａは、サムネイル６１ｂと、画像データ名６１ｃと、印刷サイズ及び印刷枚数６１ｄが表示されている。
【００４２】
そして、制御部２１は、ユーザが印刷したい撮影画像のサムネイルにタッチして指定すると、サムネイルの表示枠を他より太く表示するあるいは当該表示枠の背景色を変える等して選択状態とするとともに、印刷枚数及び印刷枚数を増減させる＋ボタン及び−ボタンからなる印刷枚数設定ボタン６１ｅを表示する。画像表示装置１０は、サムネイルが指定されることにより、指定中のサムネイルにかかる撮影画像について、印刷サイズの変更やフレームや文字との合成等の編集を実行する。具体的に、サムネイルの指定中に編集ボタン６３がタッチされると、制御部２１は、指定されたサムネイルに係る画像を装飾する印刷画像編集画面９０に移行し、また、サイズ追加ボタン６４がタッチされると、指定されたサムネイルについて印刷メニュー画面５１において選択された印刷サイズ以外の印刷サイズを追加する追加サイズ選択ダイアログ８０に移行する。かかる撮影画像の編集工程については、後に詳述する。なお、制御部２１は、サムネイルが指定されることにより当該指定された印刷画像の印刷枚数を自動的に１とし、印刷枚数設定ボタン６１ｅの＋ボタンや−ボタンがタッチされるとタッチ回数に応じて印刷枚数を増減させる。
【００４３】
次いで、他のサムネイルにタッチすると、前に指定されたサムネイルは、背景色が変更された選択状態とされたまま、印刷枚数設定ボタン６１ｅが消えて、替わりに印刷サイズ及び印刷枚数６１ｄが表示される。選択状態におけるサムネイルは、印刷枚数設定ボタン６１ｅによって枚数変更がされない限り、印刷枚数が１とされている。すなわち、ユーザは、印刷画像選択画面５２のサムネイルにタッチして指定していくことにより、順次、印刷画像を選択し、選択状態とされたサムネイルを常時確認することができる。また、印刷画像選択画面５２は、現在指定中（選択中）のサムネイルには、印刷枚数設定ボタン６１ｅが表示されるため、ユーザがどのサムネイルについて選択中であるのか、一目瞭然となる。
【００４４】
なお、プリンタシステム１は、この印刷画像選択画面５２において選択されたサムネイルに係る画像がプリンタ装置３０によって印刷されることから、選択状態とされることにより、当該サムネイルは、撮影画像から印刷画像となり、非選択状態のサムネイルと区別される。なお、選択状態を解除するには、当該サムネイルを指定し、印刷枚数設定ボタン６１ｅの印刷枚数を０に設定すればよい。これにより印刷サイズ及び印刷枚数６１ｄの表示が０とされると共に、表示枠６１ａの背景が元に戻る。
【００４５】
本発明は、かかる印刷画像選択画面５２において選択された印刷画像は、サムネイルの指定中にサイズ追加ボタン６４がタッチされることにより、印刷サイズ表示部６２に表示されているデフォルトサイズと異なる印刷サイズを選択することができる。制御部２１は、印刷画像についてデフォルトサイズと異なる印刷サイズが選択されると、選択された印刷サイズに応じたアスペクト比で切り取られた編集画像データを生成し、この編集画像データのサムネイルをサムネイル表示部６１に追加表示する。
【００４６】
以下では、撮影画像のサムネイルを原サムネイルと称し、この原サムネイルのデフォルトサイズと異なるサイズが選択されることによりサムネイル表示部６１に追加表示されたサムネイルを追加サムネイルと称する。追加サムネイルは、原サムネイルに隣接して表示される。また、追加サムネイルには、表示枠６１ａ内に、選択されたサイズで印刷サイズ及び印刷枚数６１ｄが記名されている。なお、追加サムネイルの指定中にサイズ追加ボタン６４をタッチして、さらに追加サムネイルの印刷サイズと異なる印刷サイズの追加サムネイルを表示することはできない。
【００４７】
以下、印刷サイズの異なる追加サムネイルをサムネイル表示部６１に追加表示する工程について、図６のフローチャートを参照して説明する。ステップＳ１において、印刷画像選択画面５２に撮影画像データのサムネイルが一覧表示された状態で、ユーザが一のサムネイルにタッチすると、ステップＳ２において、当該サムネイルの表示枠６１ａの背景が変色して指定中となる。上述したように、指定中においては、サムネイル表示枠６１ａ内に印刷枚数設定ボタン６１ｅが表示される。このとき、制御部２１は、ステップＳ３において、指定されたサムネイルが追加サムネイルであるか否か判別し、追加サムネイルである場合は、印刷枚数設定ボタン６１ｅによる印刷枚数の変更以外の操作は受け付けない。
【００４８】
指定されたサムネイルが撮影画像が表示された原サムネイルである場合に、ステップＳ４において、サイズ追加ボタン６４がタッチされると、タッチパネル１５に、図７に示す追加サイズ選択ダイアログ８０が表示される。追加サイズ選択ダイアログ８０は、指定された原サムネイルが表示される原サムネイル表示部８１と、追加可能な画像サイズの候補を表示するサイズアイコン８２と、サイズの追加工程をキャンセルするキャンセルアイコン８３と、サイズを選択して印刷画像選択画面５２に戻るＯＫアイコン８４とを有する。
【００４９】
ステップＳ６において、ユーザが変更を希望するサイズが表示されたサイズアイコン８２にタッチすると、タッチされたサイズアイコン８２の色が変わり、選択状態とされる。図７においては、Ｌサイズを選択している。ステップＳ７において、ユーザがＯＫアイコン８４にタッチすると、制御部２１は、タッチパネル１５から追加サイズ選択ダイアログ８０を消して、印刷画像選択画面５２に戻る。このとき、ステップＳ８において、制御部２１は、撮影画像データを、追加選択された印刷サイズのアスペクト比で切り取った編集画像データを生成し、図８に示すように、この編集画像データの追加サムネイル８６を原サムネイル８５に隣接して表示可能に、画像メモリ１６に格納する。
【００５０】
次いで、ステップＳ９において、制御部２１は、追加サムネイル８６の印刷枚数を１に設定する。次いで、ステップＳ１０において、制御部２１は、追加サムネイル８６の表示枠６１ａ内に、追加されたサムネイルであることを示す追加アイコン８７を付加する。そして、ステップＳ１１において、図８に示すように、制御部２１は、画像メモリ１６に格納されたこの追加サムネイル８６を、印刷画像選択画面５２のサムネイル表示部６１に、原サムネイル８５に隣接して表示し、同時に選択状態とする。なお、追加サムネイル８６が次ページに表示される場合は、制御部２１は、表示するページを印刷画像選択画面５２の次ページとする。
【００５１】
追加サムネイル８６は、原サムネイル８５と同様に、表示枠６１ａ内にサムネイル６１ｂ及び画像データ名６１ｃが表示されると共に、追加サイズ選択ダイアログ８０にて選択されたサイズ（Ｌサイズ）で印刷サイズ及び印刷枚数６１ｄが表示される。また、追加サムネイル８６は、表示枠６１ａ内に、追加アイコン８７が表示されることにより、ユーザは、当該サムネイルが後から追加されたものであることが容易に分かる。
【００５２】
また、原サムネイル８５は、選択状態が維持され、また印刷サイズ及び印刷枚数も変更されない。
【００５３】
また、追加サムネイル８６が原サムネイル８５に隣接して表示されたことにより、前に原サムネイル８５に隣接して表示されていたサムネイル８８は一つ右にずれて、追加サムネイル８６の隣に表示され、サムネイル８８の隣のサムネイルも同様に順次右にずれる、あるいは下段にずれて表示されていき、最後のサムネイルは次ページにずれて表示される。なお、サイズ情報表示部６５には、追加サムネイル８６において指定されたサイズが追加表示される。
【００５４】
なお、ステップＳ７において、ＯＫアイコン８４がタッチされず、ステップＳ１２においてキャンセルアイコン８３がタッチされると、ステップＳ１３において、追加サイズ選択ダイアログ８０を表示せず、図５に示す印刷画像選択画面５２に戻る。
【００５５】
印刷画像選択画面５２における印刷画像の選択、印刷枚数及び印刷サイズの設定が終了し、選択終了ボタン７０がタッチされると、制御部２１は、選択状態とされたサムネイルに係る印刷画像について、その印刷枚数とその料金を印刷サイズ毎に集計し、トータル金額とともに示すオーダー確認画面をタッチパネル１５に表示する。そして、制御部２１は、オーダー確認画面においてＯＫボタンがタッチされると、プリンタ装置３０に選択された印刷画像の画像データを送信し、プリンタ装置３０の制御部によって当該画像データに基づいて印刷データが生成される。その後、プリンタ装置３０は、印刷データに基づいてサーマルヘッド３１、インクリボン走行部３４及び記録紙搬送部３５を駆動し、指定されたサイズの用紙に撮影画像データ及び編集画像データに応じた写真を印刷する。
【００５６】
このように、この画像表示装置１０は、原サムネイル８５に隣接して追加サムネイル８６を表示することにより、原サムネイル８５及び追加サムネイル８６のいずれも、指定中には印刷枚数設定ボタン６１ｅが表示され、各サイズ毎に異なる印刷枚数の設定が可能となる。したがって、画像表示装置１０は、一回のオーダー操作で、一の印刷画像に対して異なるサイズ毎に、印刷枚数を設定することができる。
【００５７】
次いで、印刷画像選択画面５２において指定した印刷画像に装飾を施す編集をし、編集画像データを追加サムネイルとして表示する工程について説明する。画像表示装置１０は、印刷画像選択画面５２に撮影画像データのサムネイルが一覧表示された状態で、編集を施すサムネイルの指定中に編集ボタン６３がタッチされることにより、当該撮影画像に各種装飾を施すことができる。制御部２１は、印刷画像データに装飾が施されると、印刷画像選択画面５２のサムネイル表示部６１に、撮影画像に対して各種装飾を合成した編集画像データを生成し、この編集画像データのサムネイルをタッチパネル１５に追加表示する。これにより、画像表示装置１０は、一のオーダー操作で原サムネイル及び編集後の追加サムネイルについて、それぞれ異なる印刷サイズ、印刷枚数で印刷することができる。
【００５８】
以下では、装飾が施される撮影画像データのサムネイルを原サムネイルと称し、撮影画像データに装飾を施すことによりサムネイル表示部６１に追加表示されたサムネイルを追加サムネイルと称する。この追加サムネイルは、原サムネイルに隣接して表示される。また、追加サムネイルの指定中に編集ボタン６３がタッチされ、追加サムネイルにかかる編集画像データにさらに編集した場合には、当該追加サムネイルと異なる追加サムネイルを追加表示せず、もとの編集画像データに追加された編集内容を反映、いわゆる上書きがされ、上書き後の編集画像データの追加サムネイルが表示される。
【００５９】
以下、各種装飾が施された編集画像データの追加サムネイルをサムネイル表示部６１に追加表示する工程について、図９のフローチャートを参照して説明する。ステップＳ２１において、印刷画像選択画面５２に撮影画像データのサムネイルが一覧表示された状態で、ユーザが一のサムネイルにタッチして指定すると、ステップＳ２２において、当該サムネイルの表示枠６１ａの背景が変色して選択状態となる。上述したように、指定中においては、サムネイル表示枠６１ａ内に印刷枚数設定ボタン６１ｅが表示される。
【００６０】
ステップＳ２３において、制御部２１は、編集ボタン６３がタッチされたか否か判別し、タッチされるとステップＳ２４において、図１０に示す印刷画像編集画面９０に移行する。印刷画像編集画面９０は、指定中の原サムネイル８５と、予めＲＯＭ１８内に格納されたフレームや、ユーザによって追加されたテキスト等が合成されて表示される写真表示部９１と、印刷メニュー画面５１にて選択されたデフォルトサイズが表示されるサイズ表示部９２と、各種編集を施すための編集ツールボタンとを有する。
【００６１】
編集ツールボタンには、印刷画像のズームを行うズームボタン９５、印刷画像を回転させる回転ボタン９６、印刷画像にテキストを追加するテキスト追加ボタン９７、印刷画像に撮影日付を追加する日付追加ボタン９８、印刷画像の周囲を装飾するフレームを合成するフレーム合成ボタン９９、印刷写真を白黒あるいはセピアに変換する変換ボタン１００、赤目補正等を自動的に行う自動補正ボタン１０１、補正を手動で行う手動補正ボタン１０２を有する。なお、これら編集に用いるボタンは、適宜、追加変更することができる。
【００６２】
その他、印刷画像編集画面９０には、編集を取りやめるキャンセルボタン１０３、編集を終了し、印刷画像選択画面５２に戻るＯＫボタン１０４、印刷を中止する中止ボタン１０５、操作が不明の時に用いるヘルプボタン１０６が設けられている。
【００６３】
ステップＳ２５において、指定された印刷画像の編集を行う。例えば、フレーム合成ボタン９９をタッチすると、制御部２１は、タッチパネル１５の表示を、図１１に示すフレーム選択画面１１０に移行させる。フレーム選択画面１１０には、各種フレーム画像がフレーム表示シート１１１に複数表示されている。フレーム表示シート１１１は、フレームのデザイン種別毎に分類され、デザイン種別を示すタブ１１１ａが設けられ、このタブ１１１ａをタッチすることにより、他のフレームデザインが表示されたフレーム表示シート１１１を表示することができる。
【００６４】
フレームデザインの種類には、装飾的なフレームが表示される「Decorative」、ハロウィンをモチーフとしたフレームが表示される「Halloween」、クリスマスや正月、誕生日や結婚等のイベントをモチーフとしたフレームが表示される「Special Events」、イベントの中でも出産の報告に適したフレームが表示される「Special Events-Baby」、スポーツをモチーフとしたフレームが表示される「Sports」等が用意されている。なお、これら各種フレームがデザイン種別毎に表示されるフレーム表示シートの種類は適宜追加、変更、削除することができる。
【００６５】
その他、フレーム選択画面１１０は、初期画面に戻る「Start Over」アイコン、印刷画像編集画面９０に戻る「Go Back」アイコン、操作不明時に使用する「Help ?」アイコンが表示されている。
【００６６】
ユーザがフレーム画面にタッチして使用するフレームを選択すると、フレームの表示枠が他の表示枠より太くなる、フレームの表示枠の背景色が他と変わる等して選択状態とされる。この状態で「OK」アイコンにタッチすると、制御部２１は、タッチパネル１５の表示を印刷画像編集画面９０に戻すとともに、選択された印刷画像と選択されたフレームとを合成した編集画像データを生成して画像メモリ１６に保存すると共に、写真表示部９１に合成画像を表示する。
【００６７】
またテキスト追加ボタン９７をタッチすると、図示しないキーパッドが表示され、ユーザが好みのテキストを入力することができる。キーパッドには、ひらがな、かたかな、漢字、アルファベット、数字、記号が切り替え表示される。また適宜、フォントや文字色等の修飾を施すようにすることもできる。
【００６８】
これら各種編集ツールボタンを用いて施された編集画像データは、画像メモリ１６に格納されると共に、写真表示部９１に表示される。図１０においては、原サムネイル８５に対して、ズーム処理、フレーム合成処理及びテキスト追加処理を行っている。印刷画像の編集が終了すると、ユーザがＯＫボタン１０４をタッチすることにより、印刷画像選択画面５２に戻る。制御部２１は、ステップＳ２６において、ＯＫボタン１０４がタッチされたか否か判別し、ＯＫボタンがタッチされたと判別すると、ステップＳ２７において、編集が行われたサムネイル画像が、原サムネイルか、追加サムネイルかを判別する。一方、印刷画像編集画面９０において、ＯＫボタンがタッチされない場合は、ステップＳ２８において、キャンセルボタン１０３がタッチされたか否か判別し、タッチされた場合は、ステップＳ２９において印刷画像選択画面５２に戻り、タッチされない場合は、印刷画像編集画面９０を表示し続け、編集を続行する。
【００６９】
ステップＳ２７において、編集された画像が追加サムネイルではない場合、すなわち原サムネイル８５である場合は、ステップＳ３０に進み、編集内容がサムネイルの追加表示を行う条件を満たすか否か判別する。サムネイルの追加表示を行う条件は、編集内容が、自動補正ボタン１０１及び手動補正ボタン１０２に係る赤目補正や逆光補正といった画像色補正のみである場合以外、すなわち、フレームや文字の追加、画像のズーム、回転等の処理又はこれらに加えて赤目補正等の色補正を施す場合をいう。画像色補正は、原サムネイル８５にかかる撮影画像データ自体の補正を意図するもので、原サムネイル８５と異なる編集画像データを得るために行うものではない。したがって画像補正を行った場合は、新たに追加サムネイルを作成、表示して原サムネイル８５に並列させる必要はないため、原サムネイル８５にかかる撮影画像データに補正内容を反映して画像メモリ１６に保存し、補正後の画像をサムネイル表示部６１に表示させることとした。
【００７０】
ステップＳ３０において、サムネイルの追加表示を行う条件を満たすと判断された場合は、ステップＳ３１において、制御部２１は、図１２に示すように、編集画像データの追加サムネイル１２０を原サムネイル８５に隣接して追加表示可能にサムネイル表示部６１に挿入する。次いで、ステップＳ３２において、制御部２１は、追加サムネイル１２０に係る編集画像データを画像メモリ１６に格納する。
【００７１】
次いで、ステップＳ３３において、制御部２１は、原サムネイル８５において設定されていた印刷枚数を追加サムネイル１２０に移す。これは、ユーザは、編集後の印刷画像を印刷することを意図していると考えられるためである。次いで、ステップＳ３４において、図１２に示すように、制御部２１は、タッチパネル１５の表示を印刷画像選択画面５２に戻す。このとき、サムネイル表示部６１には、原サムネイル８５に隣接して、編集後の画像データに係るサムネイルが表示される追加サムネイル１２０が表示され、かつ選択状態に設定されている。
【００７２】
ステップＳ３５において、制御部２１は、追加サムネイル１２０の表示枠６１ａ内に、追加サムネイルであることを示す追加アイコン１２１を付加し、ステップＳ３６において、サムネイル表示部６１を再表示する。
【００７３】
追加サムネイル１２０は、表示枠６１ａ内に編集後の画像データに係るサムネイル６１ｂ及び画像データ名６１ｃが表示されると共に、原サムネイル８５にて選択されているデフォルトサイズ、及び原サムネイル８５において設定されていた印刷枚数で、印刷サイズ及び印刷枚数６１ｄが表示される。また、追加サムネイル１２０は、表示枠６１ａ内に、追加アイコン１２１が表示されることにより、ユーザは、当該サムネイルが後から追加されたものであることが容易に分かる。
【００７４】
また、原サムネイル８５は、印刷枚数が０に設定されると共に、選択状態が解除される。これは、ユーザは、編集画像に係る追加サムネイル１２０を印刷することを意図していると考えられるためである。この状態から原サムネイル８５にタッチすることにより、指定中とするとともに、印刷枚数設定ボタン６１ｅによって印刷枚数を設定することは可能である。
【００７５】
また、追加サムネイル１２０が原サムネイル８５に隣接して表示されたことにより、前に原サムネイル８５に隣接して表示されていたサムネイル８８は一つ右にずれて、追加サムネイル１２０の隣に表示され、サムネイル８８の隣のサムネイルも同様に順次右にずれる、あるいは下段にずれて表示されていき、最後のサムネイルは次ページにずれて表示される。なお、サイズ情報表示部６５には、追加サムネイル１２０において指定されたサイズの数量が加算表示される。
【００７６】
印刷画像選択画面５２における画像の選択、各種編集や印刷枚数及び印刷サイズの設定が終了し、選択終了ボタン７０がタッチされると、制御部２１は、選択状態とされたサムネイルについて、その印刷枚数とその料金を印刷サイズ毎に集計し、トータルの金額とともに示すオーダー確認画面をタッチパネル１５に表示する。そして、制御部２１は、オーダー確認画面においてＯＫボタンがタッチされると、プリンタ装置３０に編集後の画像データを送信し、プリンタ装置３０の制御部によって当該画像データに基づいて印刷データが生成される。その後、プリンタ装置３０は、印刷データに基づいてサーマルヘッド３１、インクリボン走行部３４及び記録紙搬送部３５を駆動し、指定されたサイズの用紙に編集後の画像データに応じた写真を印刷する。
【００７７】
このように、画像表示装置１０は、印刷画像選択画面５２において、原サムネイル８５と、撮影画像に編集を施した編集画像に係る追加サムネイル１２０を隣接して表示することにより、原サムネイル８５及び追加サムネイル１２０のいずれも、選択中には印刷枚数設定ボタン６１ｅが表示され、それぞれ異なる印刷枚数の設定も可能となる。このように、画像表示装置１０は、一回のオーダー操作で、撮影画像及び撮影画像に編集を施した画像に対して、同時に印刷を注文することができる。
【００７８】
一方、ステップＳ２７において、編集された画像に係るサムネイルが追加サムネイル１２０であると判別された場合は、さらなる追加サムネイルは生成、表示されない。すなわち、追加サムネイル１２０は、原サムネイル８５を選択し、この原サムネイル８５に係る撮影画像に対して編集を行った場合のみ生成され、追加サムネイル１２０を選択し、この追加サムネイル１２０に係る画像に対して追加編集を行った場合には、さらなる追加サムネイルは生成されない。
【００７９】
追加サムネイル１２０を選択して、追加編集が施された場合は、ステップＳ３７において、追加編集後の画像データをそのまま編集画像データとして上書き保存する。制御部２１は、追加編集後の編集画像データを画像メモリ１６に格納されている追加サムネイルに係る画像データに上書きし、格納する。
【００８０】
次いで、ステップＳ３８において、制御部２１は、タッチパネル１５の表示を、印刷画像編集画面９０から印刷画像選択画面５２に戻し、ステップＳ３６において、サムネイル表示部６１を再表示する。この場合、原サムネイル８５に隣接して表示される追加サムネイル１２０は、追加編集後の編集画像データのサムネイルが表示されている他は、画像データ名６１ｃ、印刷サイズ及び印刷枚数６１ｄ、追加アイコン１２１は、そのまま維持されている。また追加サムネイル１２０は、選択状態とされる。
【００８１】
なお、この追加サムネイル１２０について印刷サイズの変更はできない。これは、印刷サイズの変更は、アスペクト比の変更を伴い、印刷範囲が異なってくるため、写真表示部９１に表示された合成画像と印刷された写真との間で印刷領域に違いが生じ、意図した領域が印刷されない等の事態が生じうるからである。また、合成されたフレームによっては、他サイズに対応していない場合もあるからである。但し、別途、印刷範囲の相違に応じて印刷画像あるいはフレームとの合成画像を、変更された印刷サイズに適合させる調整機能を設けた場合は、追加サムネイル１２０の印刷サイズ変更も可能である。この場合は、追加サムネイル１２０のサイズ毎にさらなる追加サムネイルを生成、表示する。
【００８２】
但し、画像表示装置１０は、いったん原サムネイル８５に対してサイズを追加する編集を施した追加サムネイル８６を生成し、この追加サムネイル８６に対して装飾を施す編集を行うことで、原サムネイル８５と異なるサイズの編集画像を印刷することが可能である。この場合は、追加サムネイル８６の印刷サイズに応じたフレーム等が合成され、印刷領域の相違も生じないからである。
【００８３】
例えば、図８に示す追加サムネイル８６を指定した状態で、編集ボタン６３がタッチされると、印刷画像編集画面９０に移行し、当該追加サムネイル８６に対して各種編集を施すことができる。この場合、印刷画像編集画面９０には、サイズ表示部９２に追加変更された印刷サイズ（Ｌサイズ）が表示される。また、図１３に示すように、編集された画像は追加サムネイルに係るものであるため、編集後の画像について追加サムネイル８６とは別に追加サムネイルは生成されず、追加サムネイル８６は、編集後のサムネイル画像が表示される。
【００８４】
また、この状態から図１３に示す原サムネイル８５を指定し、サイズ追加ボタン６４にタッチして、追加サイズ選択ダイアログ８０で２Ｌサイズを選択すると、原サムネイル８５と同一画像でサイズが２Ｌとされた追加サムネイル１３０が原サムネイル８５の隣に追加表示される。さらに、原サムネイル８５を指定し、編集ボタン６３にタッチして、印刷画像編集画面９０において撮影画像に対してズーム及び回転処理を施すと、原サムネイル８５と同一の印刷サイズで編集後のサムネイルが表示された追加サムネイル１３１が原サムネイル８５の隣に追加表示される。
【００８５】
このように、順次追加サムネイル８６，１２０，１２１が追加表示されることにより、図５において原サムネイル８５に隣接していたサムネイル８８等は、順次ずれていく。また追加サムネイル８６，１２０，１２１は、新しく追加されたものが原サムネイル８５の隣に挿入され、追加される度に順次ずらされて表示される。なお、原サムネイル８５は、指定される度に選択状態となるため、自動的に印刷枚数１が設定される。したがって、追加サムネイル１２１も、原サムネイル８５の印刷枚数が移行されるため、印刷枚数１に設定されている。また、原サムネイル８５は、装飾編集が施された追加サムネイル１２１が追加表示されたため、印刷枚数が０に戻るとともに選択状態が解除されている。
【００８６】
以上のように、画像表示装置１０によれば、原サムネイルに係るデフォルトサイズと異なるサイズに編集された印刷画像や、原サムネイルに係る撮影画像に装飾を施す編集が行われた印刷画像を生成すると、原サムネイルとは別に、印刷サイズの変更編集や装飾編集が施された追加サムネイルを生成し、原サムネイルとともにタッチパネル１５に表示する。そして、画像表示装置１０によれば、原サムネイル及び追加サムネイルのいずれも個別に印刷枚数を設定し、印刷することが可能となるため、一回のオーダー操作で、画像毎に異なる印刷サイズを設定し、また撮影画像と編集画像についてそれぞれ異なるサイズ、異なる印刷枚数で印刷することができ、ユーザの印刷作業工程を大幅に簡略化することができる。
【００８７】
また、画像表示装置１０は、印刷メニュー画面５１で「Border」アイコンを選択した場合には、最初にフレームを選択し、次いで選択したフレームとメモリカードに記録されている撮影画像とが合成され、かかる合成画像が印刷画像選択画面５２に表示される。すなわち、フレームと撮影画像との合成画像を原サムネイルとすることができる。したがって、かかる原サムネイルを指定して編集を施すと、原サムネイルとともに、フレームと撮影画像との合成画像にさらにテキストが記入された追加サムネイルを生成、表示することもでき、例えば写真を贈る相手毎にメッセージを違えた追加サムネイルを複数生成し、一回のオーダー操作で同時に印刷するなど、装飾編集工程を簡略化することもできる。
【００８８】
また、印刷画像選択画面５２における編集ボタン６３やサイズ追加ボタン６４は、各表示枠６１ａ内にそれぞれ配してもよい。また、サムネイルの表示枠６１ａ内にはボタンを表示せず、指定中のサムネイルの表示枠６１ａ内に表示される印刷枚数設定ボタン６１ｅは、枠外に常時表示させ、指定中のサムネイルについて印刷枚数を表示し、枚数の増減を行うようにしてもよい。
【００８９】
また、印刷画像選択画面５２における全サムネイルについて統一的に印刷サイズの追加を行うサイズ追加ボタンを設けてもよい。この場合、追加サイズ選択ダイアログ８０には、原サムネイル表示部８１には、全サムネイルを表示、あるいは全く表示しない。そして、デフォルトサイズと異なる印刷サイズが選択されると、各原サムネイル８５の隣に追加サムネイル８６が追加表示される。
【００９０】
また、一つの原サムネイル８５には、印刷サイズを複数設定しておいてもよい。この場合も、設定された印刷サイズ以外の印刷サイズを追加すると、追加サムネイル８６が追加表示される。
【００９１】
また、印刷画像選択画面５２は、原サムネイル８５の表示階層と、追加サムネイル８６，１２０，１２１等の表示階層を有してもよい。この場合、原サムネイル８５の表示枠６１ａ内に追加サムネイルが生成されていることを示すアイコンを付加し、この原サムネイル８５がタッチされると、この原サムネイル８５より派生した追加サムネイルが原サムネイル８５に隣接して表示される。
【００９２】
さらに、画像表示装置１０は、タッチパネル１５によって各種操作を行う以外にも、マウス等の入力デバイスを用いてもよい。また、プリントシステム１は、プリントキオスク端末以外のプリンタ装置に適用することができる。
【００９３】
その他、本発明は上述した実施の形態のみに限定されるものではなく、本発明の用紙を逸脱しない範囲において種々の変更が可能である。例えば本実施の形態では、ハードウェア構成として説明したが、これに限定されるものではなく、任意の処理をＣＰＵ（central-processing-unit）にコンピュータプログラムを実行させることにより実現することも可能であり、また、インターネットその他の伝送媒体を介して伝送することにより提供することも可能である。
【図面の簡単な説明】
【００９４】
【図１】本発明が適用されたプリントシステムを示す斜視図である。
【図２】プリントシステムのブロック図である。
【図３】メディア選択画面を示す図である。
【図４】印刷メニュー画面を示す図である。
【図５】撮影画像のサムネイルが表示された印刷画像選択画面を示す図である。
【図６】デフォルトサイズと異なる印刷サイズが指定された時に追加サムネイルを表示する工程示すフローチャートである。
【図７】追加サイズ選択ダイアログを示す図である。
【図８】印刷サイズの異なる追加サムネイルが表示された印刷画像選択画面を示す図である。
【図９】印刷画像を編集したときに追加サムネイルを表示する工程を示すフローチャートである。
【図１０】印刷画像編集画面を示す図である。
【図１１】フレーム選択画面を示す図である。
【図１２】撮影画像に対して各種編集を施した追加サムネイルが表示された印刷画像選択画面を示す図である。
【図１３】複数の追加サムネイルが生成、表示された印刷画像選択画面を示す図である。
【符号の説明】
【００９５】
１  プリントシステム、１０  画像表示装置、１５  タッチパネル、３０  プリンタ装置、５２  印刷画像選択画面、６１  サムネイル表示部、６３  編集ボタン、６４  サイズ追加ボタン、８０  追加サイズ選択ダイアログ、８５  原サムネイル、８６  追加サムネイル、９０  印刷画像編集画面、１１０  フレーム選択画面、１２０  追加サムネイル
【図１】
0005208474.tif 000002
【図２】
0005208474.tif 000003
【図３】
0005208474.tif 000004
【図４】
0005208474.tif 000005
【図５】
0005208474.tif 000006
【図６】
0005208474.tif 000007
【図７】
0005208474.tif 000008
【図８】
0005208474.tif 000009
【図９】
0005208474.tif 000010
【図１０】
0005208474.tif 000011
【図１１】
0005208474.tif 000012
【図１２】
0005208474.tif 000013
【図１３】
0005208474.tif 000014